(57)【要約】【課題】外部メディアの大容量化が進んでも、外部メディアの解析時間の増大を防止することができ、再生時の音声再生可能なフォルダやトラックの膨大化を防止できる車載用再生装置を提供する。【解決手段】車載用再生装置１は、外部メディア８を接続する接続部７と、接続部７に接続された外部メディア８の記憶領域を所定の記憶容量ごとに擬似的に分割する制御部２と、制御部２により外部メディア８の記憶領域が擬似的に分割されて形成された分割領域の中からデータを再生すべき分割領域を選択するための操作部６とを備え、制御部２は、操作部６を介して選択された分割領域についてデータを解析し、音声データを再生する。【選択図】図１
2007172700.tif 000002
【特許請求の範囲】
【請求項１】
外部メディアを接続する接続部と、
前記接続部に接続された前記外部メディアの記憶領域を所定の記憶容量ごとに擬似的に分割する制御部と、
前記制御部により前記外部メディアの記憶領域が擬似的に分割されて形成された分割領域の中からデータを再生すべき分割領域を選択するための操作部と
を備え、
前記制御部は、前記操作部を介して選択された分割領域についてデータを解析し、音声データを再生することを特徴とする車載用再生装置。
【請求項２】
前記制御部は、前記外部メディアの記憶領域の前記分割領域への擬似的な分割により前記記憶領域に記憶されている前記音声データを含むファイルが分割される場合には、当該ファイルを、分割位置の前側の分割領域に属させ、または分割位置の後側の分割領域に属させ、または分割位置前後のいずれの分割領域に属させるかを選択可能とされていることを特徴とする請求項１に記載の車載用再生装置。
【請求項３】
前記制御部は、前記所定の記憶容量を設定可能とされていることを特徴とする請求項１または請求項２に記載の車載用再生装置。
【請求項４】
前記車載用再生装置の制御部は、前記外部メディアの再生が停止された際にその停止された箇所を自ら記憶し、または、前記外部メディアのヘッダにその停止された箇所を記録して、前記外部メディアが前記車載用再生装置の接続部から取り外された後に接続された場合にリジューム再生可能とされていることを特徴とする請求項１から請求項３のいずれか一項に記載の車載用再生装置。
【請求項５】
前記車載用再生装置の制御部は、前記外部メディアが取り外され、前記外部メディアの前回再生を停止した箇所を含む前記分割領域に変更が加えられた場合には、前記外部メディアのヘッダに記録された変更情報に基づいて再度接続された前記外部メディアの前記分割領域についてイニシャル再生可能とされていることを特徴とする請求項１から請求項４のいずれか一項に記載の車載用再生装置。
【請求項６】
前記分割領域が、前記外部メディアの記憶領域を所定の記憶容量ごとに擬似的に分割して形成される代わりに、前記外部メディアの記憶領域を所定のフォルダ数またはファイル数で擬似的に分割して形成されることを特徴とする請求項１から請求項５のいずれか一項に記載の車載用再生装置。
【発明の詳細な説明】
【技術分野】
【０００１】
本発明は、車載用再生装置に関する。
【背景技術】
【０００２】
カーオーディオ等の車載用再生装置は、従来、カセットテープの読出手段を備えるものが多かったが、現在ではＣＤ（Compact Disc）ドライブやＭＤ（Mini Disc）ドライブ、ＨＤＤ（Hard Disk Drive）など外部メディアの読み出しを行う各種読出手段を備えたものが多い（例えば、特許文献１、２参照）。
【０００３】
また、近年、ＵＳＢ（Universal Serial Bus）端子を介してＵＳＢメモリやＨＤＤ等の外部メディアをＵＳＢ接続して音声データを転送して音楽等の再生を行う車載用再生装置の開発も進められている。例えば、ＵＳＢ端子を介してノート型パソコンを接続し、ノート型パソコンに記憶された音楽データ等を再生する車載用再生装置が提案されている（特許文献３参照）。
【０００４】
このように外部メディアから音声データを再生する場合、車載用再生装置では、通常、図４のフローチャートに示すように処理が行われる。すなわち、ＵＳＢメモリ等の外部メディアの記憶領域にデータがあるかないかが判断され（ステップＳ１００）、データが記憶されていなければエラーを通知して（ステップＳ１０６）再生動作を終了する。
【０００５】
記憶領域にデータがあればデータの解析を行い（ステップＳ１０１）、まだ解析していないデータがあるか否かが判断される（ステップＳ１０２）。未解析のデータがあればその車載用再生装置の解析可能なデータ量を超えていないか否かが判断され（ステップＳ１０３）、未解析のデータがなくなるまで或いは解析可能なデータ量を超えるまでデータ解析が行われる。
【０００６】
続いて、解析されたデータの中にＭＰ３等に圧縮されその車載用再生装置で再生可能な音声データがあるか否かが判断され（ステップＳ１０４）、再生可能な音声データがあればそれを再生する（ステップＳ１０５）。再生可能な音声データがなければエラーを通知して（ステップＳ１０６）再生動作を終了する。
【特許文献１】特開２００３−１５７６６５号公報
【特許文献２】特開２００４−１５１７５６号公報
【特許文献３】特開２００３−２１６２８９号公報
【発明の開示】
【発明が解決しようとする課題】
【０００７】
しかしながら、近年、ＵＳＢメモリ等の外部メディアの大容量化が著しい。そのため、外部メディアにパソコン等から音声データのファイルを取り込んで記憶させ、その外部メディアを車載用再生装置にＵＳＢ接続して再生すると、メディアに記憶されているデータ量が車載用再生装置の解析可能なデータ量を超えてしまう可能性がある。
【０００８】
その場合、データを先頭から読み出していくタイプのＵＳＢメモリのような外部メディアでは、解析可能なデータ量以上の外部メディアのデータ部分については再生することができない。また、外部メディアの大容量化によりデータの解析量が多くなるため、データ解析に時間がかかり、音声データの再生開始までに時間がかかってしまう。そのため、ユーザにストレスを与えてしまうという問題が生じる。
【０００９】
さらに、解析したデータ量が多いと、解析の結果、音声再生できるフォルダやトラック数が膨大となるため、音声再生中に次に聴きたい楽曲等をユーザが探す際に検索し難く手間がかかり、さらにユーザのストレスが倍増されるという問題もある。
【００１０】
そこで、本発明は、ＵＳＢメモリ等の外部メディアの大容量化が進んでも、外部メディアの解析時間の増大を防止し、再生時の音声再生可能なフォルダやトラックの膨大化を防止できる車載用再生装置を提供することを目的とする。
【課題を解決するための手段】
【００１１】
前記の問題を解決するために、請求項１の車載用再生装置は、
外部メディアを接続する接続部と、
前記接続部に接続された前記外部メディアの記憶領域を所定の記憶容量ごとに擬似的に分割する制御部と、
前記制御部により前記外部メディアの記憶領域が擬似的に分割されて形成された分割領域の中からデータを再生すべき分割領域を選択するための操作部と
を備え、
前記制御部は、前記操作部を介して選択された分割領域についてデータを解析し、音声データを再生することを特徴とする。
【００１２】
請求項２に記載の発明は、請求項１に記載の車載用再生装置において、前記制御部は、前記外部メディアの記憶領域の前記分割領域への擬似的な分割により前記記憶領域に記憶されている前記音声データを含むファイルが分割される場合には、当該ファイルを、分割位置の前側の分割領域に属させ、または分割位置の後側の分割領域に属させ、または分割位置前後のいずれの分割領域に属させるかを選択可能とされていることを特徴とする。
【００１３】
請求項３に記載の発明は、請求項１または請求項２に記載の車載用再生装置において、前記制御部は、前記所定の記憶容量を設定可能とされていることを特徴とする。
【００１４】
請求項４に記載の発明は、請求項１から請求項３のいずれか一項に記載の車載用再生装置において、前記車載用再生装置の制御部は、前記外部メディアの再生が停止された際にその停止された箇所を自ら記憶し、または、前記外部メディアのヘッダにその停止された箇所を記録して、前記外部メディアが前記車載用再生装置の接続部から取り外された後に接続された場合にリジューム再生可能とされていることを特徴とする。
【００１５】
請求項５に記載の発明は、請求項１から請求項４のいずれか一項に記載の車載用再生装置において、前記車載用再生装置の制御部は、前記外部メディアが取り外され、前記外部メディアの前回再生を停止した箇所を含む前記分割領域に変更が加えられた場合には、前記外部メディアのヘッダに記録された変更情報に基づいて再度接続された前記外部メディアの前記分割領域についてイニシャル再生可能とされていることを特徴とする。
【００１６】
請求項６に記載の発明は、請求項１から請求項５のいずれか一項に記載の車載用再生装置において、前記分割領域が、前記外部メディアの記憶領域を所定の記憶容量ごとに擬似的に分割して形成される代わりに、前記外部メディアの記憶領域を所定のフォルダ数またはファイル数で擬似的に分割して形成されることを特徴とする。
【発明の効果】
【００１７】
本発明によれば、車載用再生装置において、ＵＳＢメモリ等の外部メディアの大容量化が進んでも、外部メディアの解析時間の増大を防止し、再生時の音声再生可能なフォルダやトラックの膨大化を防止することができる。
【発明を実施するための最良の形態】
【００１８】
以下、本発明に係る車載用再生装置の実施の形態について、図面を参照して説明する。
【００１９】
図１は、本実施形態に係る車載用再生装置の構成を示すブロック図である。本実施形態の車載用再生装置１には、ＣＤや外部メディア８等に記憶されたデータを解析して音声データを再生する制御部２が設けられており、制御部２には、ＣＤドライブやＭＤドライブ、内蔵ＨＤＤ等の各種読出手段３と、出力部４と、表示部５と、操作部６とが電気的に接続されている。また、制御部２には、接続部としてのＵＳＢ端子７を介してＵＳＢメモリ等の外部メディア８が接続できるようになっている。
【００２０】
制御部２は、音声データを再生するＣＤやＭＤ、ＨＤＤ、外部メディア８等のソースが操作部６を介して指定され、通常再生やランダム再生、リピート再生等の再生の仕方が設定されると、選択されたソースの読出手段３からデータを読み出して送信させ、データを解析して音声データを再生し、設定された再生の仕方に従って再生された音声データを出力部４に送信するようになっている。
【００２１】
また、制御部２は、表示部５に表示させるタイムコードやアーティスト名、アルバム名、曲名、ファイル名、フォルダ名等の表示内容が操作部６を介して設定されると、解析したデータの中から設定された表示内容に対応するデータを抽出して表示部５に送信するようになっている。
【００２２】
なお、各種読出手段は、前述したＣＤドライブやＭＤドライブ、内蔵ＨＤＤに限定されず、この他にも例えばカセットテープや外付けＨＤＤ、ＤＶＤ（Digital Versatile Disc）等を読み出す読出手段を備えることが可能であり、また、ＵＳＢ端子７等の接続部を複数設けて、複数の外部メディアを接続できるように構成することも可能である。
【００２３】
出力部４は、図示しないイヤホンやヘッドホンまたは本体に内蔵されるスピーカ等を備えて構成されており、制御部２から送信されてきた音声データを図示しない増幅回路で増幅し、再生音声信号として外部に出力するようになっている。
【００２４】
表示部５は、蛍光表示管等の発光手段やＬＣＤ等からなる図示しない表示画面を備えており、制御部２から送信されてきた表示内容の情報に基づいて表示画面上にタイムコードやアーティスト名等の表示を行うように構成されている。
【００２５】
操作部６は、再生キー、停止キー、カーソルキーなどの各種キーを備えて構成され、ユーザのキー操作による操作信号を制御部２に出力するようになっている。操作部６では、ソース選択によりＣＤや外部メディア８等の中から音声データを再生すべきソースを指定できるようになっている。また、操作部６では、各ソースについて前述した再生の仕方や表示内容を選択できるようになっている。そのため、ユーザは表示部３５の表示画面を見ながら操作部３６の各種キーを操作してソースの指定や再生の仕方、表示内容の設定等を行うことができる。
【００２６】
一方、制御部２は、後述する分割処理により、ＵＳＢ端子７に接続された外部メディア８の記憶領域を所定の記憶容量ごとに擬似的に分割し、操作部６を介してユーザにより選択された分割領域についてデータを解析して、音声データを再生するようになっている。
【００２７】
ここで、本発明では、外部メディアの記憶領域の擬似的な分割は、外部メディア８の記憶領域を実際に物理的に分割して行われるものではなく、例えば、自動的に設定され或いはユーザにより設定された前記所定の記憶容量が２ギガバイトである場合、ユーザにより１番目の分割領域が選択されると外部メディア８の記憶領域の先頭から２ギガバイト目までをデータ解析し、２番目の分割領域が選択されると外部メディア８の記憶領域の２ギガバイト＋１バイト目から４ギガバイト目までをデータ解析するというようにして擬似的に分割されるようになっている。
【００２８】
なお、外部メディア８の記憶領域の前記擬似的な分割により、記憶領域に記憶されているファイルが途中で分割される場合には、本実施形態では、制御部２は、自動的にそのファイルを分割位置の後側の分割領域に属させるようになっている。また、この段階で、制御部２が自動的にそのファイルを分割位置の前側の分割領域に属させたり、或いは操作部６を介したユーザの選択によりそのファイルを分割位置前後のいずれかの分割領域に属させるかを選択できるように構成することも可能である。
【００２９】
次に、本実施形態に係る車載用再生装置１の制御部２における外部メディア８の記憶領域の擬似的な分割処理およびデータ解析処理について説明する。
【００３０】
図２は、制御部における分割処理およびデータ解析処理を示すフローチャートである。車載用再生装置１の制御部２では、まず、外部メディア８の記憶領域の擬似的な分割処理が行われる。
【００３１】
つまり、制御部２は、外部メディア８がＵＳＢ端子７に接続された状態で、表示部５の表示画面上に外部メディア８に対して本発明に係る外部メディア８の記憶領域の擬似的な分割を行うか否かを問う画像を表示する（ステップＳ１）。ここで、仮に本発明の擬似的な分割を行わないことがユーザにより選択された場合（ステップＳ１：ＮＯ）には、図４に示した車載用再生装置における従来のデータ解析処理に移行する。
【００３２】
また、本発明の擬似的な分割を行うことがユーザにより選択された場合（ステップＳ１：ＹＥＳ）には、制御部２は、分割容量、すなわち外部メディア８の記憶領域を擬似的に分割するための記憶容量を設定する画像を表示画面上に表示してユーザによる設定を待つ（ステップＳ２）。そして、ユーザにより操作部６のキー操作で分割容量が設定されると（ステップＳ２：ＹＥＳ）、その分割容量ごとに外部メディア８の記憶領域を擬似的に分割する。
【００３３】
その際、前述したように、本実施形態では、外部メディア８の記憶領域の擬似的な分割によりファイルが途中で分割される場合には、制御部２は自動的にそのファイルを分割位置の後側の分割領域に属させる。また、この段階で、制御部２がユーザにそのファイルを分割位置前後のいずれかの分割領域に属させるかを選択させる場合には、選択画像を表示画面上に表示し、ユーザによる設定を待って分割位置を決定する。
【００３４】
また、分割容量の設定（ステップＳ２）において、制御部２が予め決められた分割容量ごとに外部メディア８の記憶領域を擬似的に分割する場合には、本発明の擬似的な分割を行うことがユーザにより選択されると（ステップＳ１：ＹＥＳ）、制御部２は自動的に予め決められた分割容量で記憶領域を擬似的に分割する。
【００３５】
続いて、制御部２では、データ解析処理が行われる。
【００３６】
制御部２は、表示部５の表示画面上に外部メディア８の分割領域のうちどの分割領域の再生を行うかの設定を行う画像を表示し、ユーザの選択を待つ（ステップＳ３）。そして、ユーザにより再生したい分割領域の選択がなされると（ステップＳ３：ＹＥＳ）、続いて、制御部２は、選択された分割領域にデータがあるか否かを判断し（ステップＳ４）、データが記憶されていなければエラーを通知して（ステップＳ１０）再生動作を終了する。その際、他の分割領域の選択を行わせるように分割領域選択（ステップＳ３）に戻るように構成してもよい。
【００３７】
制御部２は、選択された分割領域にデータがあると判断すると（ステップＳ３：ＹＥＳ）、その分割領域内のデータの解析を行い（ステップＳ５）、まだ解析していないデータがあるか否かを判断する（ステップＳ６）。未解析のデータがあればその車載用再生装置１の解析可能なデータ量を超えていないか否かを判断し（ステップＳ７）、未解析のデータがなくなるまで（ステップＳ６：ＮＯ）或いは解析可能なデータ量を超えるまで（ステップＳ７：ＮＯ）データ解析を行う。
【００３８】
なお、分割容量の設定（ステップＳ２）において、すでに分割容量が車載用再生装置１の解析可能なデータ量に相当する記憶容量を超えないように設定されるから、解析可能なデータ量を超えていないか否かの判断（ステップＳ７）は省略してもよい。
【００３９】
続いて、制御部２は、解析されたデータの中にＭＰ３等に圧縮されその車載用再生装置３で再生可能な音声データがあるか否かを判断し（ステップＳ８）、再生可能な音声データがあればそれを再生する（ステップＳ９）。再生可能な音声データがなければエラーを通知して（ステップＳ１０）再生動作を終了する。或いは前述したように他の分割領域の選択を行わせるように分割領域選択（ステップＳ３）に戻るように構成してもよい。
【００４０】
以上のように、本実施形態に係る車載用再生装置１によれば、制御部２が、接続部に接続された外部メディア８の記憶領域を所定の記憶容量ごとに擬似的に分割し、操作部６を介して選択された分割領域についてのみデータを解析し、音声データを再生する。
【００４１】
そのため、外部メディア８の記憶容量が大容量化されても、適宜分割領域の記憶容量を設定して１つの分割領域のみをデータ解析することで、データの解析時間の増大を招くことなく短時間で解析を行って音声再生を行うことができる。そのため、ユーザが全くストレスを感ずることなく音声再生を行うことが可能となる。
【００４２】
また、車載用再生装置１では選択された分割領域の解析しか行わないから、外部メディア８の記憶容量が大容量化しても、適宜分割領域の記憶容量を設定すれば車載用再生装置１の解析可能なデータ量に相当する記憶容量を超えることがない。そのため、車載用再生装置１がスペック上の理由で比較的小さい容量のデータしか解析し再生できない場合でも、適宜分割領域の記憶容量を設定することで、外部メディア８に記憶されたすべての音声データを再生することが可能となる。
【００４３】
さらに、外部メディア８の分割容量が設定された記憶容量に制限されるため、その中に含まれる音声再生可能なフォルダやトラックの数も適当な数に限定される。そのため、再生可能なフォルダやトラック数の膨大化を防止することができ、ユーザが音声再生中に次に聴きたい楽曲等を探す際に検索し易くなり、膨大なフォルダ等の中から聴きたい楽曲等を見つけるのに手間がかかりユーザのストレスが倍増されるという問題も解消される。
【００４４】
なお、本実施形態の車載用再生装置１では、外部メディア８をＵＳＢ端子７等の接続部から一旦取り外して再度接続した場合も、前回再生を停止した箇所からの再生すなわちリジューム再生を行うことが可能であり、また、外部メディア４を取り外した際に前回再生を停止した箇所を含む分割領域に変更が加えられた場合には、再度接続された際にイニシャル再生を行うことが可能とされている。
【００４５】
具体的には、例えば、外部メディア８の再生を停止した際にその箇所と分割領域とのリジューム情報をヘッダに記録しておき、取り外した後外部メディア８の記憶領域に変更が加えられた場合にはヘッダにその旨の変更情報が記録されるようにする。
【００４６】
そして、その外部メディア８が再度車載用再生装置１に接続された際に、車載用再生装置１がそのヘッダを読み取り、リジューム情報が記録されている場合には、データ解析後、前回再生を停止した箇所からリジューム再生を行う。また、外部メディア８のヘッダにリジューム情報が記録されていても、変更が加えられたことを表す変更情報が記録されていればイニシャル再生を行う。
【００４７】
このように構成すれば、例えば、同一の車載用再生装置１を用いる場合にはユーザの利便に適い、また、外部メディア８を取り外した後、元の車載用再生装置１とは異なる車載用再生装置、すなわち例えば他の車両に搭載された車載用再生装置に接続する場合にもリジューム再生を行うことが可能となる。
【００４８】
また、外部メディア８のヘッダにリジューム情報や変更情報を記録する代わりに、或いはそれらを記録することとあわせて、車載用再生装置１の制御部２の記憶手段にリジューム情報を記憶させておくことでリジューム再生を行うことも可能である。
【００４９】
すなわち、例えば、車載用再生装置１の制御部２の図示しない記憶手段をＥＥＰＲＯＭ（Electrically Erasable Programmable Read-Only Memory）等の不揮発性の記憶装置で構成し、接続部に接続された外部メディア８のデータ解析の結果と再生を停止した箇所とを記憶させておく。
【００５０】
そして、一旦外部メディア８を取り外した後、再度その外部メディア８を車載用再生装置１の接続部に接続してユーザが前回と同一の分割領域を選択した場合、車載用再生装置１は選択された分割領域のデータ解析の結果が記憶手段に記憶されている前回の結果と同一であれば、その分割領域には変更が加えられていないとして、前回再生を停止した箇所からリジューム再生を行う。また、分割領域の今回のデータ解析の結果が前回の結果と異なる場合は、その分割領域に変更が加えられたと判断してイニシャル再生を行う。
【００５１】
このように構成しても、前回停止した箇所から引き続いて楽曲等が再生され、ユーザの利便に適い、車載用再生装置１の利便性を向上させることができる。
【００５２】
ところで、前述したように、本実施形態の車載用再生装置１では、外部メディア８の記憶領域を設定され或いは予め決められた所定の記憶容量ごとに分割領域に擬似的に分割する場合について説明したが、外部メディア８の記憶領域を所定のフォルダ数またはファイル数で擬似的に分割するように構成することも可能である。
【００５３】
この場合、車載用再生装置１の構成は図１に示したとおりであるが、外部メディア８の記憶領域の擬似的な分割処理の内容が多少修正される。
【００５４】
図３に示すように、外部メディア８の記憶領域を所定のフォルダ数またはファイル数で擬似的に分割する場合には、制御部２は、表示部５の表示画面上に、前記のように分割容量を設定するための画像の代わりに、分割領域に記憶するファイル数やフォルダ数を設定するための画像を表示してユーザによる設定を待つ（ステップＳ１１）。そして、ユーザによりファイル数やフォルダ数の設定が行われると設定されたファイル数やフォルダ数ごとに外部メディア８の記憶領域を擬似的に分割する。
【００５５】
なお、その際、各ファイルや各フォルダのデータ量に相当する記憶容量が異なることから、設定されたファイル数やフォルダ数を分割領域に記憶させるとその分割領域の記憶容量が車載用再生装置１の解析可能なデータ量に相当する記憶容量を超えてしまう場合がある。そのような場合には、このファイル数やフォルダ数の設定（ステップＳ１１）において警告を発して設定し直させる等の処理を行い、分割領域中のファイル数がフォルダ数を車載用再生装置１の解析可能なデータ量に相当する記憶容量の範囲内に制限することが好ましい。
【００５６】
データ解析処理（ステップＳ３〜Ｓ１０）は、図２に示した本実施形態のフローチャートと同様である。
【００５７】
このように、車載用再生システム１を、外部メディア４の記憶領域を所定のフォルダ数またはファイル数で擬似的に分割するように構成した場合も前記実施形態と同様の効果を得ることができる。
【図面の簡単な説明】
【００５８】
【図１】本実施形態に係る車載用再生装置の構成を示すブロック図である。
【図２】本実施形態に係る車載用再生装置の制御部における分割処理およびデータ解析処理を示すフローチャートである。
【図３】図２の処理の変形例を示すフローチャートである。
【図４】従来の車載用再生装置におけるデータ解析処理を示すフローチャートである。
【符号の説明】
【００５９】
１  車載用再生装置
２  制御部
６  操作部
７  ＵＳＢ端子
８  外部メディア
【図１】
2007172700.tif 000003
【図２】
2007172700.tif 000004
【図３】
2007172700.tif 000005
【図４】
2007172700.tif 000006